Podtech/llm-jp-corpus-v4-ja_patent huggingface dataset:
(57)【要約】      （修正有）【課題】小型の本傘立て装置は傘本体の中に常時収納できることにより、傘だけを携帯していれば、濡れた傘を電車内において着座時に手を濡らすことなくまた衣類を濡らすことなく容易に傘を立てることが出来、両手を解放する事である。【解決手段】本傘立て装置の固定部、傘に対して横から本装置を通し傘を３６０°回転させる事により傘の生地を巻き付かせ、更に着座した際に、太腿と座席の下で固定することにより衣類を濡らすことなく濡れた傘を床に固定し立てる事が出来る。【選択図】図１
0003115465.tif 000002
【実用新案登録請求の範囲】
【請求項１】
本傘立て装置は通常、傘の受け骨（図９）に収納出来る事。濡れた傘等を電車内等の座席に座った際に本装置を使用するものであるが、装置先端の螺旋状の傘の固定部が特徴で縦にした傘を横から本装置の固定部で挟み、そのまま右もしくは左に傘を３６０°回転させる事により、傘の生地を巻き付けさせること。その装置を縦に９０°回転させることにより、傘を装置に固定する。更にその反対側の持ち手部分を太腿と太腿の下に接する座席の間で装置を挟み固定し、傘を床の上に立てたまま固定する。この装置は濡れた傘でも手を濡らすことなく傘の生地を巻きつけることが可能であり、衣類を濡らす事なく両足の間又はそのすぐ横の少スペースで容易に傘を床の上に固定し、立てる事を特徴とする傘立て装置。
【考案の詳細な説明】
【技術分野】
【０００１】  本考案は、濡れた雨傘等を持って電車内の座席に座った場合において、太腿の下で挟んだ装置により容易に濡れた傘を生地に巻き付かせ衣類を濡らす事なく、床に立る傘立て装置に関するものである。
【背景技術】
【０００２】  従来、濡れた雨傘を持って電車に乗った場合、水滴が落ちるため網棚などには置けず、その傘を手摺りに立てかけるか、手に持つ等の方法しかなく不便であった。【０００３】  しかし、考案の進歩により、座った際、単に太腿と座席の間で器具を挟み傘を立てる装置（図３）は考案されていたが、濡れた傘を巻き付けるのことは出来ずまたデザイン的にも劣っていた。【０００４】  さらには、既存の考案された装置に関しては傘と装置を別に携帯しなければならない不便さも合った。
【特許文献】実開平６−７５１７号公報
【考案の開示】
【考案が解決しようとする課題】
【０００４】  解決しようとする問題点は濡れた傘だけを携帯して電車に乗り、座席に座った際に手が濡れるなどの点と、傘の生地を巻き付けられず、衣類が濡れることである。
【課題を解決するための手段】
【０００５】  本傘立て装置は、傘の中に予め収納された小型の傘立て装置により、その傘だけを携帯し電車内において、座席に座った際、本装置を使い傘の生地を巻き付かせることにより衣類を濡らすことなく傘を床の上に立てる事で両手を解放することが出来る装置である。
【考案の効果】
【０００６】  本装置は傘だけを携帯した場合でも、予め傘本体に収納された装置により実施することで着座時、両手を解放し、本や新聞等を見ることが可能になり、更に濡れた傘であっても、手を濡らすことなく、且つ衣類が濡れるのを防ぐ効果がある。
【考案を実施するための最良の形態・実施例】
【０００７】  図４は傘立て装置の立体図であるが、図４の５傘固定部３及び４が螺旋状になっているのが特徴である。本装置は図４の１フック部、図４の２圧着部、及び図４の５傘固定部から構成されている。
【０００８】  本装置の実施により座席に座った場合に図８の▲１▼のように、立てた傘に本装置を横から図３の５の螺旋状に分かれた３と４の先端部分で挟み込み、図８の▲２▼で押しつけながら３６０°傘を回転させることにより、図８の▲３▼で濡れた傘の生地を巻きつける。
【０００９】  生地が巻き付いた状態で本装置を縦に９０°回転させ水平にすることにより、図８の▲４▼の状態に傘が固定される。
【００１０】  傘と装置が固定された状態で図４の１及び２の部分を座席に座った状態で太腿の下に置き、太腿と座席の間で圧着させることにより、本装置を固定し傘を図１及び図２のように床の上に立てることが出来る。
【００１１】  本傘立て装置を使用しない場合においては図９のように傘内部の受け骨に、図４の１フック部を引っかけことにより傘本体に常に収納することが可能である。
【産業上の利用可能性】
【００１１】  装置の使用に際し、両手を解放させることにより、両手を使い新聞、雑誌等の読書ができる。また本装置は雨傘に限らず日傘やステッキ等も同じ効果を発揮する。更に本装置を半ズボンや短いスカート着用の者が使用するに際し、素肌に密着する場合においては、装置の冷たさを軽減するため、その密着する２の部分に気泡状の発砲スチロールを付着させることにより、素肌でも違和感を感じることなく使用することも可能である。また本装置の色をカラフルな色に着色することによりファッション性をもたせることも可能である。
【図面の簡単な説明】
【図１】両足の間で傘立て装置を使用した実施例。
【図２】両足の間で傘立て装置を使用した実施例。
【図３】従来の考案図である。
【図４】傘立て装置本体の立体図である。
【図５】傘立て装置本体を上から見た図。
【図６】図５の６と７及び８の断面図である。
【図７】傘立て装置本体を横から見た図である。
【図８】傘立て装置の実施例の説明図である。  ▲１▼傘の横から本装置を縦にして押しつけようとする図。  ▲２▼傘を３６０°回転させ生地を巻き付けている図。  ▲３▼生地が巻き付け本装置を９０°回転させた図。  ▲４▼本装置を水平にして傘を固定させた図。
【図９】傘の受け骨に傘立て装置を収納しようとする図である。
【符号の説明】
１  収納時用のフック
２  太腿と座席の間で挟み込む圧着部
３  螺旋状になった傘の固定部片側
４  螺旋状になった傘の固定部片側
５  固定部
６  圧着部の断面図
７  固定部３の断面図
８  固定部４の断面図
【図１】
0003115465.tif 000003
【図２】
0003115465.tif 000004
【図３】
0003115465.tif 000005
【図４】
0003115465.tif 000006
【図５】
0003115465.tif 000007
【図６】
0003115465.tif 000008
【図７】
0003115465.tif 000009
【図８】
0003115465.tif 000010
【図９】
0003115465.tif 000011
【手続補正書】
【提出日】平成17年7月19日(2005.7.19)
【手続補正１】
【補正対象書類名】実用新案登録請求の範囲
【補正対象項目名】全文
【補正方法】変更
【補正の内容】
【実用新案登録請求の範囲】
【請求項１】
太股で圧着する、断面が楕円形で細長い圧着部と、その先端に傘を固定するリング状の固定部で形成され、リング状の頂点部分は繋がる事無く切断されており、そのリング状の固定部が螺旋状を呈する特徴の傘立て装置。
(57)【要約】      （修正有）【課題】洗濯機等で落とし難い汚れ物にたいする解決として考案した器具の提供。【解決手段】歯ブラシに使用するブラシ程度のプラシチック植毛板を、合成ゴム板と一体化した。バネ板を封入した中空の合成ゴムの柄を、握り柄としてつけた。平板上に広げたぬのや、洗浄する運動靴には、汚れに合った洗剤で湿らせてから、本器具にて叩くことでよい結果が得られる。【選択図】図１
0003115466.tif 000002
【実用新案登録請求の範囲】
【請求項１】
歯ブラシ程度の強度の植毛板と、合成ゴム板を張り合わせて、バネ鋼を挟みこんだ、合成ゴム製の握り柄をつける。
【請求項２】
バネ鋼を挟みこんだ握り柄と、張り合わせ板とのあいだには、握り手に衝撃が伝わらないよう、緩衝節をつける。
【考案の詳細な説明】
【技術分野】
【０００１】ブラシの打撃によって、布地に洗剤を浸潤させ、布地を損傷させることが少ない洗濯方法
洗剤を選ぶことで種種の汚れに態処出来る。
布足袋等の底汚れ落としや、運動靴等の汚れ落としに最適の器具です。
【背景技術】
【０００２】
【考案の開示】
【考案が解決しようとする課題】
【０００３】洗濯機等で落とし難い汚れ物にたいする解決として考案した器具です。【０００４】微細なブラシの先端で打圧して、布地に洗剤を染込ませて汚れを落とすので損傷を防ぐ。
【課題を解決するための手段】
【０００５】
【０００６】布地の損傷を防ぐための植毛板利用と握り手に加わる衝撃を防ぐために緩衝節を設けた。
【考案の効果】
【０００７】強固な部分汚れを本器具で先洗いするので洗い上がりが綺麗になる。
【考案を実施するための最良の形態】
【０００８】平板上に広げたぬのや、洗浄する運動靴には、汚れに合った洗剤で湿らせてから、本器具にて叩くことでよい結果が得られる。
【産業上の利用可能性】
【０００９】足袋底や厚手の布地の強固な部分汚れは、残りやすいため本器具の使用価値がある。
【図面の簡単な説明】
【００１０】
【図１】は本器具を斜め横から見た図、
【図２】は本器具を真横から見た図、
【図３】はＡ断面図、
【図４】はＢ断面図、
【図５】はＣ断面図、
【図６】は緩衝節バネの設置図です。
【符号の説明】
【００１１】１−合成ゴム板、  ２−プラスチック植毛板、  ３−バネ板合体握り柄、  ４−中空ゴム、  ５−バネ板、  ６−滑り止め突起模様付握り柄
【図１】
0003115466.tif 000003
【図２】
0003115466.tif 000004
【図３】
0003115466.tif 000005
【図４】
0003115466.tif 000006
【図５】
0003115466.tif 000007
【図６】
0003115466.tif 000008
【手続補正書】
【提出日】平成17年7月12日(2005.7.12)
【手続補正１】
【補正対象書類名】実用新案登録請求の範囲
【補正対象項目名】全文
【補正方法】変更
【補正の内容】
【実用新案登録請求の範囲】
【請求項１】
歯ブラシ程度の強度のプラシチック植毛板と、羽子板状に成形した合成ゴム板を貼り合わせ、握り部に補強のため、バネ鋼を挟みこんで補強した、厚手布地の汚れ洗浄打圧用ブラシ器具。
【請求項２】
請求項１の器具を使用した打圧作業の衝撃が直接手に伝わらなくするために補強バネ鋼を二枚にして重ねブラシ頭部と、握り部とにそれぞれ一枚ずつを固定して緩衝節にした器具。
【手続補正２】
【補正対象書類名】明細書
【補正対象項目名】全文
【補正方法】変更
【補正の内容】
【考案の詳細な説明】
【技術分野】
【０００１】ブラシの打撃によって、厚布地に洗剤を浸潤させ、布地より汚染を、分離洗浄する洗濯方法で、洗剤を選ぶことで種種の汚れに対処出来る。
揉み洗いの出来ない、厚布や、足袋底の汚れ落としや、運動靴等の汚れ落としに最適の器具です。
【背景技術】
【０００２】
【考案の開示】
【考案が解決しようとする課題】
【０００３】洗濯機等で落とし難い汚れや，もみ洗いの出来ない厚布等の洗浄として考案した器具です。【０００４】微細なブラシの先端で打圧して、布地に洗剤を侵込ませて汚れを落とすので布地を傷めない、又布地の深部の汚れも洗浄できる。【０００５】
【課題を解決するための手段】
【０００６】布地の損傷を防ぐための打圧器具のため、握り手に加わる衝撃を防ぐために、補強バネを二枚して、先端の植毛板部と握り柄部のそれぞれに一枚ずつ固定して重ね合わせ緩衝節を設けて、植毛部の合成ゴム板の重みによる衝撃を緩和した。
【考案の効果】
【０００７】強固な厚布の汚れを本器具の繊細な植毛先端の打圧の洗剤浸潤作用が、汚染を洗浄し洗い上がりが良好な結果が得られる。
【考案を実施するための最良の形態】
【０００８】平板上に広げた厚布や、足袋裏、洗浄する運動靴には、汚れに合った洗剤で湿らせてから、本器具にて打圧することでよい洗浄結果が得られる。
【産業上の利用可能性】
【０００９】厚手の布地の強固な部分汚れに、適した洗剤を使用してもみ洗い出来ない、色々な厚布洗浄ため本器具の使用価値がある。
【図面の簡単な説明】
【００１０】
【図１】本器具を斜め横から見た図、適度な重量を得るため、１０ミリ厚合成ゴム板を羽子板状に形成して基板にした。
【図２】本器具を真横から見た図でＡ部にプラシチック植毛板を基板の羽子板状合成ゴム板に合体接着した。
【図３】Ａ断面図、合成ゴム板を羽子板状に形成して、細い部分を握り柄としたので弱くなるため、補強のため二枚のバネ板を挟み込む、バネ板をそれぞれ植毛板部に一枚、握り柄部に一枚固定して重ね合わせるだけにして打撃の衝撃緩衝用とした。
【図４】Ｂ断面図、補強バネ二重あわせ緩衝節です。
【図５】Ｃ断面図。
【図６】緩衝節バネの設置透視図です。
【符号の説明】
【００１１】１−羽子板状合成ゴム基板、２−プラスチック植毛板、３−プラスチック植毛、４−補強バネ板、５−カバー中空ゴム、６−滑り止め突起模様付握り柄
【手続補正３】
【補正対象書類名】図面
【補正対象項目名】全図
【補正方法】変更
【補正の内容】
【図１】
0003115466.tif 000009
【図２】
0003115466.tif 000010
【図３】
0003115466.tif 000011
【図４】
0003115466.tif 000012
【図５】
0003115466.tif 000013
【図６】
0003115466.tif 000014
(57)【要約】【課題】本考案は実用金属中最軽量にもかかわらず、最も振動吸収率の高いマグネシウム合金でスピーカーのキャビネット（箱）を使用することにより、音質の格段の改善を図る【解決手段】本考案はスピーカーキャビネット本体を組み上げるにあたって、六枚の平面板をすべて溶接することにより完成された強度的耐久的にも非常にすぐれ、かつもっともソフト（ＣＤなど）に忠実なスピーカーが完成できるようになった。なお本考案はこれら解決手段には限されない【選択図】図１
0003115461.tif 000002
【実用新案登録請求の範囲】
【請求項１】
マグネシウムを主成分として含有する合金から形成されたスピーカーキャビネット（スピーカーの箱）
【請求項２】
前記合金がアルミニウム、亜鉛及びマンガンからなる群から選択される少なくとも１つの元素を含む請求項１に記載のスピーカーキャビネット
【請求項３】
マグネシウムを主成分として含有する合金から形成されたスピーカースタンド
【請求項４】
前記合金がアルミニウム、亜鉛及びマンガンからなる群から選択される少なくとも一つの元素を含む請求項１に記載のスピーカースタンド
【考案の詳細な説明】
【技術分野】
【０００１】  本考案はスピーカーキャビネットに関する。より詳細には本考案は軽量にかかわらず非常に優れた強度を持ち、かつ共振を防止するスピーカーキャビネットに関する。
〔背景技術〕【０００２】  今までスピーカーキャビネット及びスタンドにマグネシウム合金が用いられたということは皆無であった。今までは木材が主流で、それに代わるものとしてアルミニウム、鉄、カーボンなどが開発されてきたがとても木材より優れているとはいえなかった。
【考案の開示】
〔考案が解決しようとしている課題〕
【０００３】実用金属中最大の振動吸収率を誇るマグネシウム合金でキャビネットを開発することにより、スピーカーが最も嫌う振動を最大限吸収することにより格段の音質向上が図れるようにする。
〔考案が解決するための手段〕
【０００４】本考案のスピーカーキャビネットはマグネシウムを主成分として含有する合金から形成されている。
○好ましい実施形態においては上記合金はアルミニウム、亜鉛、及びマンガンからなる群から選択される少なくとも一つの元素を含む。
本考案のスピーカーキャビネットの製造方法は特に限定されず任意の適切な製造方法が採用され得る。代表的な製造方法としては鋳造法（砂型鋳造法、ダイカスト法）などがあげられる。鋳造法は溶融したマグネシウムと合金を所定形状の鋳型に流し込む方法である。他に圧延板や押出材などマグネシウム板を溶接したり張り合わせる手作業による製造も可能である。
〔考案の効果〕
【０００５】本考案によれば特定の組成のマグネシウム合金と特定の製造方法を組み合わせることにより軽量にも関わらず優れた強度を有しかつ共振を防止するスピーカーキャビネット及びスタンドを提供することが出来る。
【実施例１】
【０００６】以下実施例により本考案を具体的に説明するが本考案はこれら実施例には限されない
【実施例２】  マグネシウム合金のキャビネットはマグネシウム圧延板材を溶接止めで接合する方法をとった。しかし単純なようだが、１、マグネシウム専用の接着剤は存在しない。２、単純にマグネシウム板同士でネジ止めすると板材を厚くしなければいけないので重くなってしまい、製品としての意味がなくなってしまう。
以上のことからマグネシウム板の接点を溶接止めすることにより、理想的な板の厚さでキャビネットが組めるようになった。以上のことから金属中では従来一番軽いアルミニウム製キャビネットに比し、三分の二という非常に軽いキャビネットを生産出来るようになった。他に金型で作る方法（手段）もある
【図面の簡単な説明】
【０００７】
【図１】正面図
【図２】上面図
【図３】下面図
【図４】側面断面図
【図５】後面図
【符号の説明】
【０００８】１  スピーカーキャビネット本体
２  ウーファー（低音部）穴
３  ツィーター（高音部）穴
４  スピーカーケーブルピンコード穴
５  サランネット（ウーファーツイーターを傷つけないようにするための保護網）取り付け用穴
【図１】
0003115461.tif 000003
【手続補正書】
【提出日】平成17年5月12日(2005.5.12)
【手続補正１】
【補正対象書類名】実用新案登録請求の範囲
【補正対象項目名】全文
【補正方法】変更
【補正の内容】
［書類名］    実用新案登録請求の範囲
［請求項１］
マグネシウムを主成分として含有する合金から形成されたスピーカーキャビネット
［請求項２］
前記合金がアルミニウム、亜鉛及びマンガンからなる群から選択される少なくとも一つの元素を含む請求項１に記載のスピーカーキャビネット
［請求項３］
マグネシウムを主成分として含有する合金から形成されたスピーカースタンド
［請求項４］
前記合金がアルミニウム、亜鉛及びマンガンからなる群から選択される少なくとも一の元素を含む請求項３に記載のスピーカースタンド
【手続補正書】
【提出日】平成17年8月10日(2005.8.10)
【手続補正１】
【補正対象書類名】図面
【補正対象項目名】全図
【補正方法】変更
【補正の内容】
【図１】
0003115461.tif 000004
【図２】
0003115461.tif 000005
【図３】
0003115461.tif 000006
【図４】
0003115461.tif 000007
【図５】
0003115461.tif 000008
(57)【要約】【課題】  人気の高まりつつある揚げ菓子表面のべとつきを無くすると共に食味をも低下しないようにすることが課題であり、しかも、このような課題を解決するためには沖縄独特の風味が得られる材料を用いることが課題である。【解決手段】  本考案では、小麦粉、砂糖、脱脂粉乳、植物性油脂、食塩、ベーキングパウダー等に鶏卵を混ぜ合わせて得られた生地を適宜の大きさに丸め、当該生地を所定温度の油で揚げて揚げ菓子とすると共に、当該揚げ菓子の表面に、精糖蜜、水あめ、液体砂糖、黒糖等を混ぜ合わせた黒糖蜜を絡めてなる揚げ菓子を考案することが課題を解決するための手段としている。【選択図】    図１
0003115464.tif 000002
【実用新案登録請求の範囲】
【請求項１】
小麦粉、砂糖、脱脂粉乳、植物性油脂、食塩、ベーキングパウダー等に鶏卵を混ぜ合わせて得られた生地を適宜の大きさに丸め、当該生地を所定温度の油で揚げて揚げ菓子とすると共に、当該揚げ菓子の表面に、精糖蜜、水あめ、液体砂糖、黒糖等を混ぜ合わせた黒糖蜜を絡めてなる揚げ菓子。
【考案の詳細な説明】
【考案の詳細な説明】
【技術分野】
【０００１】  本考案は沖縄地方において、サーターアンダギーと呼称されて広く食されている揚げ菓子の改良に関するものである。
【背景技術】
【０００２】  従来より、この種の揚げ菓子は「サーターアンダギー」と呼称されて沖縄地方で主として食されていたものであり、沖縄特産の黒糖、白糖等を生地に練り込んだ揚げ菓子として有名である。近年では観光客の間でも人気となり、土産物ともなっているが、丸めた生地を油で揚げただけであるから、加工後三、四日経つと表面に油が浮いてきて表面がべとついた状態となり、しかも食味も低下していたのが現状である。
【考案が解決しようとする課題】
【０００３】  このような現状をふまえ、人気の高まりつつある揚げ菓子表面のべとつきを無くすると共に食味をも低下しないようにすることが課題であり、しかも、このような課題を解決するためには沖縄独特の風味が得られる材料を用いることが課題である。
【課題を解決するための手段】
【０００４】  このような課題を解決するためには、小麦粉、砂糖、脱脂粉乳、植物性油脂、食塩、ベーキングパウダー等に鶏卵を混ぜ合わせて得られた生地を適宜の大きさに丸め、当該生地を所定温度の油で揚げて揚げ菓子とすると共に、当該揚げ菓子の表面に、精糖蜜、水あめ、液体砂糖、黒糖等を混ぜ合わせた黒糖蜜を絡めてなる揚げ菓子を考案することが課題を解決するための手段である。
【考案を実施するための最良の形態】
【０００５】  実施例について説明すれば、小麦粉、砂糖、脱脂粉乳、植物性油脂、食塩、ベーキングパウダー等に鶏卵を混ぜ合わせて生地を練る。練り終わった生地を約３℃に設定した冷蔵庫に入れ、１時間寝かせる。寝かした生地を３０ｇに丸め、油温を１５５℃に設定した第一フライヤーで約６分間揚げた後、油温を１８０℃に設定した第二フライヤーで１分間揚げる。揚がった揚げ菓子を黒糖蜜の入った容器に浸して絡め、取り出した後、揚げ菓子を網に載せて、余分な黒糖蜜を落とし、表面が乾いてくるまで約２時間乾燥する。黒糖蜜としては、精糖蜜、水あめ、液体砂糖、黒糖等を混ぜ合わせたものを用いている。黒糖として当該黒糖の製造過程で得られる分蜜糖を用いてもよい。また蜂蜜を加えたり、蜂蜜そのものを絡めることも可能である。
【考案の効果】
【０００６】  以上のように本考案は、小麦粉、砂糖、脱脂粉乳、植物性油脂、食塩、ベーキングパウダー等に鶏卵を混ぜ合わせて得られた生地を適宜の大きさに丸め、当該生地を所定温度の油で揚げて揚げ菓子とすると共に、当該揚げ菓子の表面に、精糖蜜、水あめ、液体砂糖、黒糖等を混ぜ合わせた黒糖蜜を絡めてなる揚げ菓子であるから、従来のサーターアンダギーと呼ばれるこれらの揚げ菓子が沖縄特産の黒糖、白糖等を生地に練り込んだものしかなく、また丸めた生地を油で揚げただけであるから、加工後三、四日経つと表面に油が浮いてきて表面がべとついた状態となり、しかも食味も低下していたのが現状であったが、本考案に係る揚げ菓子は、当該揚げ菓子を黒糖蜜に浸し絡めているので、表面を黒糖蜜でしっとりと固めた状態となり、加工後三、四日経っても表面に油が滲み出ることを防ぎ、しっとり感を持続することができる。しかも表面のべとつき画ないので食味が低下することもなく、その上、黒糖を生地に練り込んだもの以上に黒糖の風味も味わえるものである等、極めて顕著なる実用的効果を有するものである。
【図面の簡単な説明】
【図１】実施例の揚げ菓子を示す断面した斜視図である。
【符号の説明】
１  揚げ菓子
２  黒糖蜜部分
【図１】
0003115464.tif 000003
(57)【要約】【課題】  掃除機のホースと柄を透明又は半透明にした掃除機ホースと柄を提供する。【解決手段】  掃除機のホースと柄を透明又は半透明にし、ホースと柄の内部が透けて見える事を特徴とする。【選択図】  図１
0003115500.tif 000002
【実用新案登録請求の範囲】
【請求項１】
掃除機のホースと柄を透明又は半透明にした掃除機ホースと柄。
以上のごとく作成された掃除機のホースと柄。
【考案の詳細な説明】
【技術分野】
【０００１】  この考案は、掃除機のホースと柄を透明、又は半透明にした掃除きのホースと柄に関するものである。
【背景技術】
【０００２】  従来、掃除機のホースと柄は不透明であった。
【考案の開示】
【考案が解決しようとする課題】
【０００３】  これはつぎのような問題点があった。
掃除機で部屋の隅や箪笥の隙間等のゴミを吸い込む際、ホースと柄又は吸込口の部分を取り外し、ホース又は柄の先端のみでゴミを吸い込みたいときがある。その際にうっかりゴミではない衣類やその他異物を吸い込んでしまい、それが掃除機のホースのどこかの部分に詰まり、どこにあるか分からず、取り出すのが大変困難になることが時々起こる。その異物がどの辺りに詰まっているのか一目で分かるようにしたい。
【課題を解決するための手段】
【０００４】  掃除機のホースと柄のビニール部分を透明又は半透明にする。
【考案の効果】
【０００５】  掃除機のホースと柄を透明又は半透明にすることにより、衣類等をまちがって吸い込み、ホース又は柄の部分のどこかに詰まったとしても、それがどこにあるのか容易に見つけることができる。
【考案を実施する為の最良の状態】
【０００６】  以下、本考案の実施例について説明する。
掃除機のホースを透明、又は半透明にする。
【図面の簡単な説明】
【０００７】
【図１】 
【図１】
0003115500.tif 000003
【手続補正書】
【提出日】平成17年8月8日(2005.8.8)
【手続補正１】
【補正対象書類名】明細書
【補正対象項目名】０００７
【補正方法】変更
【補正の内容】
【図面の簡単な説明】
【図１】
従来の掃除機のホースと柄の部分を透明又は半透明にした掃除機。
(57)【要約】      （修正有）【課題】一度に引きが強い多くの犬を散歩しようとするとき、腰部分に負担がかからない人間用腰ベルトを提供する。【解決手段】前方部より後方部１−２のベルト幅が広く形成されているとともに、腰に着脱するためのベルト止め具１−１を備え、複数のフック穴１−３を設けたベルト本体１と、前記ベルト本体のフック穴に連結されるとともに、犬を繋ぐリード端部を連結するリード止め具と、前記ベルト本体に着脱自在に取り付けられる袋とを有することを特徴とした犬の散歩用腰ベルト。【選択図】図１
0003115492.tif 000002
【実用新案登録請求の範囲】
【請求項１】
前方部より後方部のベルト幅が広く形成されているとともに、腰に着脱するためのベルト止め具を備え、複数のフック穴を設けたベルト本体と、
前記ベルト本体のフック穴に連結されるとともに、犬を繋ぐリード端部を連結するリード止め具と、
前記ベルト本体に着脱自在に取り付けられる袋と
を有することを特徴とした犬の散歩用腰ベルト。
【考案の詳細な説明】
【技術分野】
【０００１】  この考案は一度に、引きが強い犬や多くの犬にも安心して散歩することができ、又、携帯電話や糞用ポシェット他を自由に装着することができ、犬との散歩を安全に楽しくすることを目的とした散歩用腰ベルトに関するものである。
【背景技術】
【０００２】  従来、犬の散歩時、胴輪、首輪等をリードにつなげる方法、犬等のペットの首周りに装着される首輪と、この首輪に一端が接続されるリードと、ペットを散歩させる人間の胴部に装着され、前記リードの他端が接続される胴部装着ベルトを具備したものや、ワンタッチで止められる人のウェストベルトに、犬用ベルトをつなぎ、ウェストベルトに犬綱をかけるための金具を取り付けたものや、散歩者の腰部にベルト状のものを装着し、その上を体を軸に３６０度自由に移動するコネクターを作成し、従来の綱を遠隔にするものや、人の腰ベルトの側面に着脱可能な引き綱につなげているものが知られている。
【考案開示】
特開２００２−１１２６５９
実用新案登録３０９６８３３
実用新案登録３１０３９６３
実用新案登録３０９６８３３
特開平９−２７１２８７
特開２００２−２３８３９５
特開２００４−２５４６７８
特開２００２−１１２６５９
実用新案登録３０８７３４１
【考案が解決しようとする課題】
【０００３】  従来の製品は、一度に、引きが強い犬や、多くの犬を散歩しようとすると、ベルトの前後における幅が一定の為、人間の腰部分に局所的な負荷がかかり、負担が大きいという問題がある。また、リードがベルト本体に沿って移動してしまうため安定性が乏しいという問題もある。
【課題を解決する為の手段】
【０００４】  前方部より後方部のベルト輻が広く形成されているとともに、腰に着脱するためのベルト止め具を備え、複数のフック穴を設けたベルト本体と、前記ベルト本体のフック穴に連結されるとともに、犬を繋ぐリード端部を連結するリード止め具と、前記ベルト本体に着脱自在に取り付けられる袋とを有することを特徴とした犬の散歩用腰ベルト。
【考案の効果】
【０００５】本発明に係る犬の散歩用腰ベルトを装着することにより、引きの強い中型犬以上の犬に対して、下半身が安定し、腰、肩、手等の負担を和らげる。
一度に多くの犬を一緒に散歩させることが出来る。
両手が比較的自由になる。
着脱式携帯電話用ポシェットを装着する事により、連絡等がしやすい。
着脱式糞用ポシェットを装着する事により、犬が糞をした後の始末がしやすく、収納する為、衛生的である。
以上の効果を考え、犬と人とが安全で楽しく散歩することが出来る。
【考案を実施する為の最良の形態】
【０００６】以下本考案の形態を図１〜図４に基づいて説明する。
図１はベルト本体の斜視図である。１はベルト本体である。１−１はベルト先端止め具でありベルト本体を着脱する時に使用し、緊急時にワンタッチで着脱させることができる安全装置である。１−２はベルト本体の後方部である。前方部より幅が広くなっていて、腰の上に安定させるようになっている。１−３は金属の金具を設けた円形のフック穴を設けており、そこに別体の金属製リード止め具２のフック２−１を取り付け、リードの先端を前記金属製リード止め具に繋げることで、ベルト本体とリード、犬とを結びつけることができる。ベルト本体の後方部にも円形のフック穴１−４を設け、ベルト本体前方部止め具用フック穴１−３と同様に、別体の金属製リード止め具２を取り付け、糞用ポシェット４が取り付けられる。
図２は別体金属製リード止め具の正面図である。金属製リード止め具２−１とベルト本体前方部止め具用フック穴１−３とを結合させることで、リードを繋ぐことができる。
図３は付属品携帯用ポシェット３である。携帯電話を入れたり、鍵やメモ帳、その他ウォークマン、小型ラジオ他、多類に渡って袋自体の形や大きさを変えることにより変化しうるものである。
図４は付属品糞用ポシェット４である。ポシェット止め具用円形金具４−１に別体金属製リード止め具２のリード止め具のフック２−１を取り付けることで、ベルト本体と一体化させることができる。ポシェット開閉用紐４−２はひもの長さを調節することで、ポシェットの開閉ができる。
【図面の簡単な説明】
【０００７】
【図１】    本発明のベルト本体の斜視図
【図２】    本発明の金属製リード止め具の正面図
【図３】    本発明の付属品１、携帯電話用ポシェット
【図４】    本発明の付属品２、犬の糞用ポシェット
【符号の説明】
【０００８】  １      ベルト本体
１−１  ベルト先端止め具
１−２  ベルト本体後方部
１−３  ベルト本体前方部止め具用フック穴
１−４  ベルト本体後方部止め具用フック穴
２      金属製リード止め具
２−１  金属製リード止め具のフック
３      携帯電話用ポシェット
４      糞用、他ポシェット
４−１  ポシェット止め具用円形金具
４−２  ポシェット開閉用紐
【図１】
0003115492.tif 000003
【図２】
0003115492.tif 000004
【図３】
0003115492.tif 000005
【図４】
0003115492.tif 000006
(57)【要約】【目的】本考案は犬や猫などのペットを植物エキスやマイナスイオンなどの微細霧によりストレスを解消し、身体を浄化し、健康にし、美しくすることなどを目的としたミストサウナとミストエステを兼用する構成を特徴としたペット用のミストサウナ兼用エステ装置に関するものである。【構成】壁部に犬や猫などのペット出入り用の開閉ドアー５を有し、屋根部をほぼ平坦でペットを乗せてマッサージやエステを行える高さのエステ台２とし、壁部や天井部などに霧を入れる噴霧口４を有したペット収納空間を有する箱型のサウナ室１と自在性のある噴霧ホース８の先端に噴霧ノズル７を有した霧化機６を組み合せることを特徴とした構成である。【選択図】図１
0003115499.tif 000002
【実用新案登録請求の範囲】
【請求項１】
犬や猫などペットの出入り用の開閉ドアー５を有し、ペットを乗せる屋根部をほぼ平坦なエステ台２とし、霧化機６の噴霧ノズル７をセットして霧を入れる噴霧口４を有したペットが入れる程度の箱型のサウナ室１と自在性のある噴霧ホース８の先端にサウナ室１の噴霧口４にセットする噴霧ノズル７を有した霧化機６を組み合せることを特徴としたペットのミストサウナ兼用エステ装置。
【考案の詳細な説明】
【技術分野】
【０００１】  本考案は犬や猫などのペットを植物エキスやマイナスイオンなどの微細霧によりストレスを解消し、身体を浄化し、健康にし、美しくすることなどを目的としたミストサウナとミストエステを兼用する構成を特徴としたペット用のミストサウナ兼用エステ装置に関するものである。
【背景技術】
【０００２】  従来、霧を使ったサウナやエステは人間用としてはミストサウナやミストエステとして多岐に活用されているが、犬や猫などのペットはシャワーによるシャンプー洗浄が一般的であり、ペット用のミストサウナやミストエステとしては未だ一般化されておらず、当社がペット用ミストサウナとしてビジネスモデルを開発し実用化している段階である。
【考案の開示】
【考案が解決しようとする課題】
【０００３】  従来のシャンプーによる身体洗浄法には下述するような問題があった。
（イ）動物は皮毛を自然に綺麗にする自浄化作用を持っていますので、洗い過ぎると皮毛の油分が減るため、水分をはじく力が落ちますしフケの原因にもなりますし、皮膚に弾力が無くなります。
（ロ）シャンプーの成分が皮膚や環境を悪化させる場合もあります。【０００４】  人間用をベースとしたミストサウナとミストエステ装置については各々独立した装置であり、個別の設備費用や設置面積や操作要員が必要であったし、当社開発のミストサウナ装置に於ても別途エステ台を必要としたため不便でもあった。
【課題を解決するための手段】
【０００５】  いまその課題を解決するため従来のシャンプーによる身体洗浄法を極力減らしてミストサウナとミストエステによる方法を推奨するものであり、その構成を説明すれば、
壁部に犬や猫などのペット出入り用の開閉ドアー５を有し、屋根部をほぼ平坦でペットを乗せてマッサージやエステを行える高さのエステ台２とし、壁部や天井部などに霧を入れる噴霧口４を有したペット収納空間を有する箱型のサウナ室１と自在性のある噴霧ホース８の先端に噴霧ノズル７を有した霧化機６を組み合せることを特徴とした構成である。【０００６】  ミストサウナやミストエステの噴霧液はペット皮毛の除菌、消臭、保湿作用などを施す植物エキス混合液とし、通常は暑さに弱いペットのためにクールミストを噴霧する作用である。
【考案の効果】
【０００７】  下がミストサウナ室、上がミストエステ台の一体型装置となるため次の効果があります。
（イ）設置場所が半減し、場所を有効的に活用することが出来ます。
（ロ）霧化機一台で兼用できるため利便性が良く、設備費用が大幅に削減します。
（ハ）ミストサウナとエステを一人で操作できるため人件費が削減します。
（ニ）植物エキス混合液の微細霧により皮毛の除菌・消臭、皮膚の保湿作用を施します。
【考案を実施するための最良の形態】
【実施例】
【０００８】  以下、本考案の実施例について説明する。
（イ）サウナ室１は犬や猫などが入れる空間を有する箱型で上部に平坦のエステ台２を有し、正面に透明材を使った保安用や観覧用の窓３を有し、横にペットの出入り用の開閉ドアー５を有し、対壁に霧化機６の噴霧ノズル７セット用の噴霧口４を有した構成とする。
（ロ）霧化機６は超音波振動方式による噴霧機構で自在性がある噴霧ホース８の先端に噴霧ノズル７を有した構成で、ミストサウナとして使用する場合には噴霧ノズル７をサウナ室１の噴霧口４に差し込むし、ミストエステとして使用する場合には噴霧ノズル７を手に持ちエステ台２の上に乗せたペットに直接噴霧してエステを施す。
（ハ）上記のサウナ室１と霧化機６を組み合せた主構成である。【０００９】  その他の実施例を列記すれば、
（イ）霧化機６の噴霧ホース８と噴霧ノズル７を２セット構成して、ミストサウナ用およびミストエステ用として専用的に使用する。
（ロ）霧化機６は暖かい霧と冷たい霧を選択噴霧する機構とする。
（ハ）霧化機６をサウナ室１と一体構造とする。
（ニ）過剰なミスト環境を防止するためサウナ室１に排霧口を設ける。
【図面の簡単な説明】
【００１０】
【図１】本考案のサウナ状況の一例を示す斜視図
【図２】本考案のエステ状況の一例を示す斜視図
【符号の説明】
【００１１】        １はサウナ室        ２はエステ台
３は窓              ４は噴霧口
５は開閉ドアー      ６は霧化機
７は噴霧ノズル      ８は噴霧ホース
【図１】
0003115499.tif 000003
【図２】
0003115499.tif 000004
(57)【要約】      （修正有）【課題】ルアーの新たな動きと見た目の話題性を提案する。【解決手段】一般的なルアーに比べ、リップの幅が異常に広く、台形をしたヘラ状のリップの長辺短辺ともボディの横幅を超えていている。「ただ巻き」すると３０センチ程度の範囲で、まるでＵＦＯのように時折瞬間移動し、水中の生き物では明らかに存在しない予測不可能な動きをする。【選択図】図１
0003115495.tif 000002
【実用新案登録請求の範囲】
【請求項１】
釣りで使用するルアー（疑似餌）において、ルアー上部もしくは前部から見た場合、一般的なルアーに比べリップの幅が異常に広く、台形をしたヘラ状のリップの長辺短辺ともボディの横幅を超えていているルアー。結果として、従来のルアーでは存在しなかった新たな動きが可能となり、また見た目の話題性も期待できる。
【考案の詳細な説明】
【技術分野】
【０００１】本考案は釣りをするための道具に関する。
【背景技術】
【０００２】リップはルアーにとってその動きを左右する部分であり、様々な形をしたものが市販されている。
【考案の開示】
【考案が解決しようとする課題】
【０００３】従来のルアーでは存在しなかった新たな動きを提案する。
【課題を解決するための手段】
【０００４】釣りで使用するルアー（疑似餌）において、ルアー上部もしくは前部から見た場合、一般的なルアーに比べリップの幅が異常に広く、台形をしたヘラ状のリップの長辺短辺ともボディの横幅を超えていているルアー。結果として、従来のルアーでは存在しなかった新たな動きが可能となり、また見た目の話題性も期待できる。
【考案の効果】
【０００５】圧倒的なビジュアル面の独創性に加え、まるでＵＦＯが浮遊するかのような従来のルアーにはない、予測不可能な水中での動きにより更なる釣果をもたらす。
【考案を実施するための最良の形態】
【０００６】メーカーに着目いただき、量産して店頭で販売されること。
0003115495.tif 000003
【図１】
0003115495.tif 000004
【図２】
0003115495.tif 000005
【図３】
0003115495.tif 000006
【手続補正書】
【提出日】平成17年8月11日(2005.8.11)
【手続補正１】
【補正対象書類名】明細書
【補正対象項目名】全文
【補正方法】変更
【補正の内容】
【考案の詳細な説明】
【技術分野】
【０００１】本考案は釣りをするための道具に関する。
【背景技術】
【０００２】リップはルアーにとってその動きを左右する部分であり、様々な形をしたものが市販されている。
【考案の開示】
【考案が解決しようとする課題】
【０００３】従来のルアーでは存在しなかった新たな動きを提案する。
【課題を解決するための手段】
【０００４】釣りで使用するルアー（疑似餌）において、ルアー上部もしくは前部から見た場合、一般的なルアーに比べリップの幅が異常に広く、台形をしたヘラ状のリップの長辺短辺ともボディの横幅を超えていているルアー。結果として、従来のルアーでは存在しなかった新たな動きが可能となり、また見た目の話題性も期待できる。
【考案の効果】
【０００５】圧倒的なビジュアル面の独創性に加え、まるでＵＦＯが浮遊するかのような従来のルアーにはない、予測不可能な水中での動きにより更なる釣果をもたらす。
【考案を実施するための最良の形態】
【０００６】メーカーに着目いただき、量産して店頭で販売されること。
【図面の簡単な説明】
【０００７】
【図１】「平面図」上部
【図２】「平面図」側部
【図３】「平面図」前部
【符号の説明】
【０００８】１．リップ
２．アイ
３．ボディ
４．角度約３０度
【手続補正２】
【補正対象書類名】図面
【補正対象項目名】図３
【補正方法】変更
【補正の内容】
【図３】
0003115495.tif 000007
(57)【要約】      （修正有）【課題】簡単に施工できるコインボックス防犯対策を提供する。【解決手段】コインボックス１７前面に、取付ボルトＡ３を利用することによって破壊防止防犯プレート１を固定する。破壊が進行されないようにする為に空転ワッシャー２を配置し、穿孔工具による前面金具７、鍵５の貫通を防ぐ構成にした。【選択図】図５
0003115481.tif 000002
【実用新案登録請求の範囲】
【請求項１】
コインボックス前面金具及び鍵の破壊防止を目的とした、破壊防止防犯プレートと空転ワッシャーで構成された対策。
【請求項２】
ホールカッター、ドリル等の穿孔工具で貫通不能又は困難なステンレス材料で構成されており、取付ボルト２箇所を利用し共締めして使用する。この方法により、容易に固定でき、コインボックスには一切金属加工を必要としない。コインボックス全体を分解する必要が無いので、コインボックス全体の歪み及び鍵の動作機構の歪みの発生を防ぐことが出来る。
【請求項３】
取り付けてある鍵の形状が数種類あり、鍵を覆い隠せるように各種鍵形状に合わせ、鍵を目標中心にしてホールカッターで破壊するのをずらす効果のある孔形状加工を破壊防犯防止プレートに施した。このプレートの存在により、防犯対策を成されていることが目視でき、犯罪抑止力となる。
【考案の詳細な説明】
【技術分野】
【０００１】本考案はコイン式洗濯機及び乾燥機のコインボックスの防犯に関する対策。
【考案の開示】
【考案が解決しようとする課題】
【０００２】コインボックス前面金具及び、鍵の露出部分をディスクグラインダーやホールカッターにより切削、破壊し、鍵のシリンダーを回し、開けて中の金銭を奪われる被害が発生した。
【課題を解決するための手段】
【０００３】そこで、ディスクグラインダーやホールカッターで貫通不能又は困難なステンレス材料で構成され、壊す目標中心をずらす効果のある形状を備えた破壊防止防犯プレート及び、ホールカッターによる鍵の外側破壊を進行させない為、抵抗する空転ワッシャーを、コインボックス前面金具の前面に設置した構造を考案した（図５）。この構造により、コインボックス前面金具や鍵が破壊されるのを防ぐ。
【考案の効果】
【０００４】よって、本考案の構造により、コインボックス前面金具及び鍵を保護することができ、防犯性向上に有効である。
【図面の簡単な説明】
【０００５】
【図１】破壊防止防犯プレートの斜視図である。
【図２】破壊防止防犯プレートの平面図である。
【図３】図２に示す方向Ｉから見た破壊防止防犯プレートの側面図である。
【図４】コインボックスに防犯対策を施し、コイン式洗濯機収納部に取り付けた斜視図である。
【図５】コインボックスの分解斜視図である。
【符号の説明】
【０００６】１  破壊防止防犯プレート
２  空転ワッシャー
３  取付ボルトＡ
４  取付ボルトＢ
５  鍵
６  鍵固定ナット
７  コインボックス前面金具
８  鍵回転角設定金具
９  ワッシャーＡ
１０  保持板Ａ
１１  スライドレバー
１２  ワッシャーＢ
１３  カム
１４  保持板Ｂ
１５  ナットＡ
１６  ナットＢ
１７  コインボックス
【図１】
0003115481.tif 000003
【図２】
0003115481.tif 000004
【図３】
0003115481.tif 000005
【図４】
0003115481.tif 000006
【図５】
0003115481.tif 000007
【手続補正書】
【提出日】平成17年7月13日(2005.7.13)
【手続補正１】
【補正対象書類名】実用新案登録請求の範囲
【補正対象項目名】全文
【補正方法】変更
【補正の内容】
【実用新案登録請求の範囲】
【請求項１】
鍵露出部分に取り付ける空転ワッシャーと、コインボックス前面金具に取り付ける破壊防止防犯プレートで構成された取付金具。
【請求項２】
コインボックスを構成する部品である取付ボルト２本を利用し、共締めして使用することを特徴とする取付金具。
【請求項３】
コインボックス前面金具及び鍵の露出部分を覆う立体形状と、開錠に必要な形状の穴を備えた取付金具。
(57)【要約】【課題】ステープラーで複数枚の用紙を綴じたとき、綴じた用紙を閲覧のため何度もめくり返した場合、綴じこまれた用紙の針の部分が傷み易い、またステープラーで綴じこまれた針を外したい場合簡単に外せないという不都合の解消。【解決手段】軟質性で可撓性のフイルムにてＶ字状に形成された綴じ込みホルダーを、束ねた状態の用紙に挟み込んで、ホルダーと用紙を一体にステープラーで綴じる、また上下狭持片の先端部分に突起物を設けて摘み易くすることで、この課題を解決する。【選択図】図１
0003115484.tif 000002
【実用新案登録請求の範囲】
【請求項１】
軟質性で可撓性のフイルムにて形成され、且つ中央３より折り曲げられた上下狭持片１、１’を有する、Ｖ字形ホルダー本体Ａを構成し、このＶ字形のホルダー本体Ａの上下狭持片１、１’間に束ねた状態の用紙５を差し込み、ステープラーの針４を上下狭持片１、１’と用紙５を一体に綴じ込むこと〔図２〕〔図３〕を特徴とする，ステープラー用綴じ込みホルダーである。
【請求項２】
上下狭持片１、１’の先端部分を全巾に亘って肉厚にして突起物２、２’を設けたことを特徴とする，請求項１記載のステープラー用綴じ込みホルダーである。
【考案の詳細な説明】
【技術分野】
【０００１】本考案は、ステープラーで複数の用紙を綴じる際に、綴じる部分の補強のために使用するもので、また用紙に綴じこまれた針を簡単に外すことのできる、綴じ込みホルダーに関するものである。
【背景技術】
【０００２】従来から、複数の用紙を綴じる場合は用紙に直接ステープラーで綴じていた。
【考案が解決しようとする課題】
【０００３】複数の用紙をステープラーで綴じた場合、閲覧のために用紙を何度もめくり返すと、綴じ込んだ用紙の針の部分が傷み易く、僅かな引っ張りでも用紙が針より外れたりする、また用紙に綴じこまれた針は簡単に外せない不便さがある。
【課題を解決するための手段】
【０００４】この問題を解決するため、軟質な可撓性のフイルムにてＶ字状に形成され、且つ中央３より折り曲げられた上下狭持片１、１’を有する、Ｖ字形ホルダー
【図１】
を構成し、このＶ字形ホルダー本体Ａの上下狭持片１、１’間に束ねた状態の用紙５を差し込むと共に、
【図２】
【図３】
のようにステープラーの針４を上下狭持片１、１’と用紙５を一体に綴じ込むとよい、また上下狭持１、１’片の先端部分を全巾に亘って肉厚の突起物２、２’を設けることで解決する。
【考案の効果】
【０００５】本考案により、綴じ込みホルダーＡを使用することで、綴じられた複数の用紙５を何度もめくり返しても綴じた部分が傷んだり、用紙が針４より外れることがない。さらに綴じた針４を外したい場合は、綴じ込みホルダー狭持片１、１’の先端の突起物２、２’を摘んで引っ張ると簡単に用紙を痛めずに針４を外すことができる。
【考案を実施するための最良の形態】
【０００６】本考案を実施するための最良の形態として揚げた図面によって説明する。
【図１】
は綴じ込みホルダーの斜視図であって、綴じ込みホルダー本体Ａは軟質性で可撓性のフイルムで中央３より折り曲げＶ字状に形成し、上下狭持片１、１’を有する構造である、また上下狭持片１、１’の先端部分に肉厚の突起物２、２’を設ける、従ってステープラー用綴じこみホルダーＡの素材は合成樹脂又はアルミ箔等でステープラーの針４が貫通する程度の厚みで形成することが望ましい。
【図面の簡単な説明】
【０００７】
【図１】綴じ込みホルダーの斜視図である。
【図２】綴じ込みホルダーを使用し、複数の用紙をステープラーで綴じた状態の斜視図で、省略図である。
【図３】綴じ込みホルダーを使用した状態〔図２〕のＸ−Ｘ断面図であり、拡大図である。
【符号の説明】
【０００８】Ａ            綴じこみホルダー本体
１、１’      狭持片
２、２’      突起物
３            折り曲げ部
４            ステープラーの針
５            用紙
【図１】
0003115484.tif 000003
【図２】
0003115484.tif 000004
【図３】
0003115484.tif 000005
【手続補正書】
【提出日】平成17年7月13日(2005.7.13)
【手続補正１】
【補正対象書類名】実用新案登録請求の範囲
【補正対象項目名】全文
【補正方法】変更
【補正の内容】
【実用新案登録請求の範囲】
【請求項１】
軟質で可撓性のフイルムで中央３より折り曲げＶ字形に形成し、上下狭持片１、１’を有し、さらに上下狭持片１、１’の先端部分を全巾に亘って肉厚の突起物２、２’を設けた、ステープラー用綴じ込みホルダー。
(57)【要約】      （修正有）【課題】ふだん使っているフキンやぞうきん、古着を裂いた物などを、取り付けて、手のとどかない所を拭き掃除できる道具を提供する。【解決手段】（ａ）は、フキンワイパー１を、フキン２に乗せフキン２の端を巻き上げ、ワイパー上部蓋４で挟みこむ前である。そして、ワイパー上部蓋４を下してフキン２を挟みこむと、（ｂ）になる。その時、止め部品５でしっかり蓋４と、本体１を固定すると、セット完了であるが、フキン２は、前方も後方も本体１より少しだすことで、本体１が、拭く面と擦れて傷つけることはない。又、しっかりフキン２を張って緩まないように挾むことが大切である。【選択図】図１
0003115483.tif 000002
【実用新案登録請求の範囲】
【請求項１】
柄のついた拭き掃除の道具の形状および、フキンやぞうきんなどをその道具に取りつける方法ならびに強度を保つ素材と形態。
そして、この道具は、フキンやぞうきんにする素材や大きさが指定された物を取り付けるのではなく、ふだん使っているフキンや、タオルや、古着を裂いた布などを取り付けることを特徴とする柄の付いた拭き掃除の道具。
【考案の詳細な説明】
【技術分野】
【０００１】  本考案は拭き掃除をする時、手がとどかない所にとどくよう柄が付いた拭き掃除の道具であり、この道具には、専用の布などを使用するのではなく、いろいろな素材や、大きさの物を、フキンやぞうきんとして、取り付けることが出きる拭き掃除の道具に関するものである。
［背景技術］【０００２】  コンビニなどの陳列棚には、奥の深い棚があり拭き掃除の時に、手がとどかない。又、高い所を拭き掃除する時もいちいち台に登ったりする手間がある。そこで、柄の付いた拭き掃除の道具が便利であるが、市販されている物は、その道具に付随したフキンやモップであるため、ふだん使っている拭き掃除のフキンやぞうきんを使うことができなかった。
［考案の開示］
［考案が解決しようとする課題］【０００３】  手のとどかない所を拭き掃除出きること。そして、ふだん使っている拭き掃除のフキンやぞうきんを、取り付けることが出きること。又、片手での作業なため、軽くて丈夫で、衛生的な物が望まれ解決しようとするものである。
［課題を解決するための手段］【０００４】  手のとどかない奥の深い商品棚や、高い所を拭き掃除する時、使い勝手のいい長さの柄の付いた拭き掃除の道具にする。そして、フキンやぞうきんなどの取り付けは、挾で固定する。その時いろいろな厚みの布に対応するため金属類の柔軟性を利用しながらも、しっかり固定できることが大切となる。又、素材は、金属類、プラスチック類などを適切な箇所に使用することで、軽くて丈夫になる。さらに、シンプルにすることで、清浄しやすく衛生的となる。
［考案の効果］【０００５】  コンビニなどの奥の深い商品棚や、高い所の拭き掃除が、しやすくなる。そして、その掃除に使われるフキンやぞうきんは、ふだん使っているフキンや、ぞうきんや、古着を裂いた布などを使うことができ、便利で経済的となる。
［考案の実施するための最良の形態］【０００６】  柄が長ければ長いほど遠くまで拭けるが、使い勝手が悪くなる。そのため最長の長さが問題となるが、日本の家屋やコンビニなどの天井は、２７０ｃｍ以下がほとんどなため１６０ｃｍの身長の人が柄を握って手を伸したとき道具の長さ全体で８０ｃｍあれば、届くため道具全体の長さは８５ｃｍもあれば、ほとんどの成人にまにあう長さとなる。又、拭く面は、手の平サイズの平面が使いやすい広さである。そして、布の固定は、布の上に本考案フキンワイパーを乗せ、布の端を巻き上げ挾むことで、しっかりとずれずに止まるため、安定した使いごこちができる形態となる。
［実施例］【０００７】  以下、添付図面に従って一実施例を説明します。図１（ａ）の図は、本考案フキンワイパー１を、フキン２に乗せフキン２の端を巻き上げ、ワイパー上部蓋４で挟みこむ前の図である。そして、ワイパー上部蓋４を下してフキン２を挟みこむと、（ｂ）になる。その時、止め部品５でしっかり蓋４と、本体１を固定すると、セット完了であるが、フキン２は、前方も後方も本体１より少しだすことで、本体１が、拭く面と擦れて傷つけることはない。又、しっかりフキン２を張って緩まないように挾むことが大切である。【０００８】  セットされた本考案フキンワイパーの柄をもって、拭き掃除をする。そして、使い終った後に外す時は、止め部品５を外すとフキン２が外れ、それを洗えば、何度でも繰返し使える。
【図面の簡単な説明】
【０００９】［図１］（ａ）本考案フキンワイパーに、フキンなどの布をセットする図である。
（ｂ）本考案フキンワイパーに、フキンなどの布をセットした図である。
【符号の説明】
【００１０】１  フキンワイパー本体
２  フキンなどの布
３  回転軸
４  ワイパー上部蓋
５  止め部品
【図１】
0003115483.tif 000003
【手続補正書】
【提出日】平成17年7月7日(2005.7.7)
【手続補正１】
【補正対象書類名】実用新案登録請求の範囲
【補正対象項目名】全文
【補正方法】変更
【補正の内容】
［書類名］実用新案登録請求の範囲
［請求項１］
フキンなどを、手の平サイズの平面板にのせ、その端を巻き上げ上から蓋で挾みこむことでフキンなどを固定できる柄の付いた拭き掃除の道具であり、蓋は、平面板と前方で回転軸でつながり、後方は、柄が平面板に固定してあり、柄に蓋がかぶさった所へ、止め部品で固定した拭き掃除の道具。